(57)【要約】【課題】電力供給されない状況下においても情報漏えいの防止を可能とする情報記憶装置、および情報記憶装置を有した情報機器を提供する。【解決手段】情報機器において、初期状態で取付動作部１０２が検出時動作用バネ１０５を緊縮して制御動作部への回路１０７を検出伝達部１０６にて短絡し、取付け状態で取付伝達棒２００が挿入されて取付動作部１０２の検出時動作用バネ１０５の緊縮を解いて代わりに自身が緊縮し、取外し状態で取付伝達棒２００が抜かれて検出時動作用バネ１０５の緊縮が完全に解かれ制御動作部への回路１０７が検出伝達部１０６により開放される。【選択図】図２
2005174457.tif 000002
【特許請求の範囲】
【請求項１】
データをアクセスする制御回路と、前記制御回路へ信号または電源を接続および遮断する電気スイッチと、前記電気スイッチが一旦遮断された後再度接続されることを防ぐ電気スイッチ非可逆手段とを情報記憶装置筐体に内蔵し、前記情報記憶装置筐体に外部より前記電気スイッチを作動させるための開口を設けたことを特徴とする情報記憶装置。
【請求項２】
情報記憶装置筐体に設けられた開口から一端を外部に突出させ、他の一端で電気スイッチを作動させる伝達手段を備えたことを特徴とする請求項１記載の情報記憶装置。
【請求項３】
請求項１記載の情報記憶装置を内蔵し、前記情報記憶装置筐体に設けられた開口から挿抜することにより、前記情報記憶装置に内蔵された電気スイッチを作動させる棒状体の伝達手段を備えたことを特徴とする情報機器。
【請求項４】
請求項２記載の情報記憶装置を取り付けることにより、前記情報記憶装置筐体に設けられた開口から突出した伝達手段を押し込んだ位置で保持することを特徴とする情報機器。
【発明の詳細な説明】
【技術分野】
【０００１】
本発明は、パーソナルコンピュータ等に用いられる磁気ディスク記憶装置等の情報記憶装置、および情報記憶装置を有する情報機器に関する。
【背景技術】
【０００２】
近年、パーソナルコンピュータや携帯情報端末等の情報機器は一般に広く普及しているが、それらに搭載された記憶装置の情報の漏洩が問題となることが多い。例えば、廃却されたパーソナルコンピュータのハードディスク等の磁気ディスク記憶装置を取り出し、そこに記憶されたデータを読み出して情報を不正に使用するといった問題が社会的にクローズアップしている。
【０００３】
従来、磁気ディスク記憶装置の主要な構成はデータを記憶する磁気ディスクと、ディスクを回転させるモータと、データをリード／ライトするための磁気ヘッドと、コンピュータに伝送するための信号に変換する回路が実装された基板から主に構成される。データを読み込む場合、データが記憶されているディスクが、ディスクを回転させるモータにより回転し、データをリード／ライトするための磁気ヘッドによりリードされ、コンピュータに伝送するための信号に変換する回路が実装された基板にて特定の伝送方式に従った信号に変換される。この磁気ディスク記憶装置から伝送される信号の伝送方式に対応している機器であれば、磁気ディスク記憶装置から伝送された信号の受信が可能となる。つまり本来使用していた機器から取り外され、別の機器に接続されても磁気ディスクに記録されたデータのリードが可能となり、データの漏えい、強いては、情報が漏えいする危険性がある。
【０００４】
このような情報の漏えいの対策として、外部から不正に取り外そうとすると磁気ディスク記憶装置内のオペアンプに異常な電圧を印加して破壊し、書き込まれていたデータをリード出来なくする方法が提案されている（例えば、特許文献１参照）。
【特許文献１】特開平０３−０６９０５９号公報
【発明の開示】
【発明が解決しようとする課題】
【０００５】
しかし、前記従来技術では電力供給がなければ電圧を印加することができずオペアンプを破壊できない。つまり電力供給されない状況においては破壊不可能である。
【０００６】
本発明は上記の事情に鑑みてなされたものであり、電力供給されない状況下においても情報漏えいの防止を可能とする情報記憶装置、および情報機器を提供することを目的とする。
【課題を解決するための手段】
【０００７】
上記目的を達成するため、第１の発明に係る情報記憶装置は、データをアクセスする制御回路と、前記制御回路へ信号または電源を接続および遮断する電気スイッチと、前記電気スイッチが一旦遮断された後再度接続されることを防ぐ電気スイッチ非可逆手段とを情報記憶装置筐体に内蔵し、前記前記情報記憶装置筐体に外部より前記電気スイッチを作動させるための開口を設けたことを特徴とする。これにより、外部より電気スイッチを作動させて制御回路の制御を行い、情報記憶装置からの情報漏えいを防止することが出来る。
【０００８】
また、第２の発明に係る情報記憶装置は、第１の発明の情報記憶装置において、情報記憶装置筐体に設けられた開口から一端を外部に突出させ、他の一端で電気スイッチを作動させる伝達手段を備えたことを特徴とする。これにより、突出した伝達手段から電気スイッチを作動させることにより、情報記憶装置に電源が供給されていない状態でも制御回路への信号または電源を遮断することが可能となる。
【０００９】
また、第３の発明に係る情報機器は、第１の発明の情報記憶装置を内蔵し、前記情報記憶装置筐体に設けられた開口から挿抜することにより、前記情報記憶装置に内蔵された電気スイッチを作動させる棒状体の伝達手段を備えたことを特徴とする。これにより、情報機器の外郭ケースの開閉により、情報記憶装置の制御回路への信号または電源を遮断することが可能となる。
【００１０】
また、第４の発明に係る情報機器は、第２の発明の情報記憶装置を取り付けることにより、前記情報記憶装置筐体に設けられた開口から突出した伝達手段を押し込んだ位置で保持することを特徴とする。これにより、通常使用状態で伝達手段を保持して電気スイッチを保持し、情報機器の外郭ケースを開くと情報記憶装置の制御回路への信号または電源を遮断することが可能となる。
【発明の効果】
【００１１】
以上の説明から明らかなように、本発明に係る情報記憶装置および情報機器では電力供給されない状況下においても情報機器から情報記憶装置を動作不可能な状態でしか取り出すことが出来ないため、その後別の機器に接続してもデータのリードは不可能なため、情報の漏えいを防止することができる。
【発明を実施するための最良の形態】
【００１２】
以下に、本発明の各実施の形態について、それぞれ図面を参照しながら説明する。
【００１３】
(実施の形態１)
図１、図２、および図４は本発明の実施の形態１における情報記憶装置に内蔵された不正操作検出センサの各々の状態を示す側面図であり、図１は磁気ディスク記憶装置の初期の組み込み状態の不正操作検出センサの側面図、図２は磁気ディスク記憶装置の取り付け状態の不正操作検出センサの側面図、図４は磁気ディスク記憶装置の取り外し状態の不正操作検出センサの側面図である。また、図３は、図２で示された情報機器に磁気ディスク記憶装置を取り付けた状態の側面図である。ここで、磁気ディスク記憶装置は例えばハードディスク等であり、情報機器とはパーソナルコンピュータや情報携帯端末等である。
【００１４】
図１の初期の組み込み状態において、遮断装置上側支持部１００の下部に、非可逆的なスイッチの役割を果たす取付動作部１０２を設け、前記遮断装置上側支持部１００と前記取付動作部１０２を蝶番状の可動部１０１により接続する。蝶番状の可動部１０１に接続された取付動作部１０２は上下方向に対する力には強いが、蝶番状の可動部１０１取り付け部と反対側の側面からの水平方向への力が働くと取付動作部１０２が蝶番状の可動部１０１を中心に回転方向に移動可能となる。
【００１５】
次に、不正検出部１０３は、上部が水平な板状になっており垂直下方向に枝が伸びている。下方向に伸びた枝は銅材などの導電材料からなる検出伝達部１０６に接続されており、連動して動作する。遮断装置下側支持部１０４は２層形状をしており、上記不正検出部１０３の上部と遮断装置下側支持部１０４の上層部が同じ高さになるようにし、不正検出部１０３の上部と遮断装置下側支持部１０４の下層部との間に検出時動作用ばね１０５を挟み込むことで不正検出部１０３を支える。なお検出時動作用ばね１０５は緊縮した状態で挟まれており、不正検出部１０３を上方向へ押し上げる力が常に働いている。しかし取付動作部１０２により動きが止められているため、不正検出部１０３は保持されている。
【００１６】
検出伝達部１０６は電気スイッチ手段であり、制御動作部への回路１０７を接続あるいは開放する検出伝達を行なう。制御動作部への回路１０７は、検出伝達部１０６で接続されることにより正常動作を行い、検出伝達部１０７で開放されることによりデータアクセス動作を不可とする動作停止回路である。例えば、記憶動作に必要な回路の信号ラインである。ここでは、検出伝達部１０６は制御動作部への回路１０７を短絡させているため磁気ディスク記憶装置は正常動作可能である。不正操作検出センサの連結支持部１０８は遮断装置上側支持部１００と遮断装置下側支持部１０４を連結し、磁気ディスク記憶装置の外郭１０９は遮断装置上側支持部１００と連結している。
【００１７】
図２は不正操作検出センサが取り付け状態であるときの側面図を示す。図２において図１と同じ構成については同じ符号を用い説明は省略する。取付伝達棒２００は磁気ディスク記憶装置を内包する機器の外郭ケース２０１に接続されており、取付伝達棒２００が蝶番状の可動部１０１が取り付けられた側と反対側から、不正検出部１０３上部と遮断装置下側支持部１０４上層部に水平方向に挿入されることで、取付動作部１０２が側面から力を受け蝶番状の可動部１０１を中心に取付動作部１０２が回転し、固定が外れる。そのため、不正検出部１０３を固定するのは検出時動作用ばね１０５と取付伝達棒２００になり、遮断装置が取り付け状態になる。
【００１８】
図３は情報機器に磁気ディスク記憶装置を取り付けた状態である。取付伝達棒２００は情報機器の外郭ケース２０１に接続されており、外郭ケース２０１は情報機器の外郭ケース３００と組み合わせた状態で使用される。取付伝達棒２００は外郭ケース２０１を組み合わせた状態では磁気ディスク記憶装置内部に挿入され不正操作検出センサが取り付け状態となる。
【００１９】
図４は不正操作検出センサが取り外し状態であるときの側面図を示す。図４において図１と同じ構成については同じ符号を用い説明は省略する。図３における外郭ケース２０１を外郭ケース３００から離すと、外郭ケース２０１に接続された取付伝達棒２００が連動し不正操作検出センサから引き抜かれる。すると不正検出部１０３は検出時動作用ばね１０５からのみ力を受けるため、不正検出部１０３ならびに検出伝達部１０６は上昇し、検出伝達部１０６と制御動作部への回路１０７との間が開放されてしまう。つまり、電気スイッチ手段である検出伝達部１０６を、電気スイッチ切り替え手段である検出時動作用ばね１０５が動かして、導電状態を変える。よって制御動作部に磁気ディスク記憶装置が不正に取り外されたことが伝達され、制御動作部は磁気ディスク記憶装置の動作を停止させる処理を行う。よって磁気ディスク記憶装置は正常動作不可能になる。また、取付動作部１０２は電気スイッチ非可逆手段であるため、再度取り付けられても動作は不可能である。
【００２０】
なお、本実施の形態では、磁気ディスクを例に示したが、不揮発性であってパーソナルコンピュータや携帯電話や情報端末等の情報機器から通常は取り外さないで使用することを前提とする記憶装置であれば、フラッシュメモリのような半導体記憶装置に適用しても同様の効果を奏する。
【００２１】
なお、本実施の形態では、不正を検出すると制御動作部への回路を開放したが特にこれに限るものではなく、例えば磁気ディスクを回転させるモーターへの電源回路や磁気ヘッドの動作回路等の電源回路を開放しても良い。
【００２２】
なお、本実施の形態では、不正を検出すると回路を開放することにより正常動作を行なわないようにしたが、これとは逆に正常時は回路が開放されており不正を検出すると回路を短絡するようにしても良い。例えば、正常時には全く別の信号線であり短絡されると動作が異常となるような回路を短絡するようにすれば同様な効果を奏する。
【００２３】
なお、本実施の形態では、情報機器の外郭ケースに接続された取付伝達棒によって磁気ディスク記憶装置が不正検出を行なったが、取付け場所は外郭ケースに限るものではなく例えば磁気ディスク記憶装置の近傍の情報機器の骨格や情報機器に内蔵されるＣＰＵや基板や他の情報機器でも良い。すなわち、外郭ケースが開かれた場合に取付伝達棒が磁気ディスク記憶装置にそれを伝えられれば良い。また、本実施の形態では取付伝達棒が外郭ケースに接続されているが、例えば取付伝達棒は外郭ケースと一体成型や接着されていても良いし、ワイヤーやチェーン等で接続されていても良い。また、取付伝達棒は棒の形状である必要は無くて取付状態を伝達できる取付状態伝達手段であれば良く、鍵状でも突起状でも良い。
【００２４】
なお、本実施の形態では、検出伝達部１０６を移動させる手段として検出時動作用ばね１０５を用いたが、ゴム等の同様の弾性手段でも同様の効果を奏する。
【００２５】
（実施の形態２）
図５、図６および図７は本発明の実施の形態２における不正操作検出センサの側面図であり、図５は磁気ディスク記憶装置の初期の組み込み状態の不正操作検出センサの側面図、図６は磁気ディスク記憶装置の取り付け状態の不正操作検出センサの側面図、図７は磁気ディスク記憶装置の取り外し状態の不正操作検出センサの側面図である。
【００２６】
図５において、図１と同じ構成については同じ符号を用い説明は省略する。取付伝達部５００は可動部１０１が取り付けられた側と反対側から遮断装置下側支持部１０４上層部に水平方向に存在し、連結支持部１０８と外郭１０９の間に引っ掛かり部５０１を持つ。また連結支持部１０８と引っ掛かり部５０１の間に状態遷移用ばね５０２が挟み込まれており、初期状態において状態遷移用ばね５０２は伸長されている。
【００２７】
図６は不正操作検出センサが取り付け状態であるときの側面図を示す。図６において図１ならびに図５と同じ構成については同じ符号を用い説明は省略する。磁気ディスク記憶装置を内包する機器の外郭ケース２０１により取付伝達部５００が押し込まれ、取付動作部１０２が側面から力を受ける。すると蝶番状の可動部１０１を中心に取付動作部１０２が回転し固定ロックが外れる。そのため、不正検出部１０３を固定するものは検出時動作用ばね１０５と取付伝達部５００になり、遮断装置が取り付け状態になる。
【００２８】
図７は不正操作検出センサが取り外し状態であるときの側面図を示す。図７において図１、図５ならびに図６と同じ構成については同じ符号を用い説明は省略する。図６において外郭ケース２０１を本磁気ディスク記憶装置から離すと、外郭ケース２０１により不正操作検出センサの連結支持部１０８と取付伝達部５００に挟まれ緊縮していた状態遷移用ばね５０２の伸長しようとする力で取付伝達部５００は初期状態の位置まで戻る。すると不正検出部１０３は検出時動作用ばね１０５からのみ力を受けるため、不正検出部１０３ならびに検出伝達部１０６は上昇し、検出伝達部１０６と制御動作部への回路１０７との間が開放されてしまう。よって磁気ディスク記憶装置は正常動作不能になり実施の形態１と同様の結果を得られる。
【産業上の利用可能性】
【００２９】
以上のように、本発明に係る情報記憶装置、および情報機器は、情報記憶装置が取り付けられた情報機器から取り外されると動作不能となるので、情報の漏えいを防止することが出来る。
【図面の簡単な説明】
【００３０】
【図１】本発明の実施の形態１における磁気ディスク記憶装置の初期の組み込み状態の不正操作検出センサの側面図
【図２】本発明の実施の形態１における磁気ディスク記憶装置の取り付け状態の不正操作検出センサの側面図
【図３】本発明の実施の形態１における情報機器に磁気ディスク記憶装置を取り付けた状態の側面図
【図４】本発明の実施の形態１における磁気ディスク記憶装置の取り外し状態の不正操作検出センサの側面図
【図５】本発明の実施の形態２における磁気ディスク記憶装置の初期の組み込み状態の不正操作検出センサの側面図
【図６】本発明の実施の形態２における磁気ディスク記憶装置の取り付け状態の不正操作検出センサの側面図
【図７】本発明の実施の形態２における磁気ディスク記憶装置の取り外し状態の不正操作検出センサの側面図
【符号の説明】
【００３１】
１００  遮断装置上側支持部
１０１  可動部
１０２  取付動作部
１０３  不正検出部
１０４  遮断装置下側支持部
１０５  検出時動作用ばね
１０６  検出伝達部
１０７  制御動作部への回路
１０８  連結支持部
１０９  磁気ディスク記憶装置の外郭
２００  取付伝達棒
２０１  外郭ケース
３００  外郭ケース
５００  取付伝達部
５０１  引っ掛かり部
５０２  状態遷移用ばね
【図１】
2005174457.tif 000003
【図２】
2005174457.tif 000004
【図３】
2005174457.tif 000005
【図４】
2005174457.tif 000006
【図５】
2005174457.tif 000007
【図６】
2005174457.tif 000008
【図７】
2005174457.tif 000009